(57)【特許請求の範囲】
【請求項１】
通水性濾過性シートから形成され、上端部が開口する袋本体と、
袋本体の対向する２面の外表面に設けられた薄板状材料からなる掛止部材とを有するドリップバッグであって、
掛止部材が、袋本体の開口部に沿って袋本体に貼着されている上部貼着部、
袋本体の幅方向の中央部において上部貼着部の下方で袋本体から引き起こし不能に形成された中央部、及び
袋本体に貼着されていない掛止部を有し、
上部貼着部に該上部貼着部の下部から上部へ袋本体の幅方向を二分する中心線から離れる方向に延び、該中心線を挟む一対の斜め折線が形成されており、該斜め折線の下端の直下から下方へ縦折線が形成されているドリップバッグ。
【請求項２】
中央部が袋本体に貼着され、第１の中央貼着部を形成している請求項１記載のドリップバッグ。
【請求項３】
掛止部材が第１の中央貼着部の両側に、一端が引き起こし可能に形成された一対のアーム部を有し、掛止部がアーム部を介して第１の中央貼着部と連続している請求項２記載のドリップバッグ。
【請求項４】
アーム部の下端部が第１の中央貼着部と連続し、アーム部の上端部が掛止部と連続している請求項３記載のドリップバッグ。
【請求項５】
一対の斜め折線が下端で重なってＶ字形折線となり、該下端から１本の縦折線が下方へ延びている請求項１〜４のいずれかに記載のドリップバッグ。
【請求項６】
一対の斜め折線の下端が互いに離れ、一対の斜め折線の下端から２本の縦折線が下方へ延びている請求項１〜４のいずれかに記載のドリップバッグ。
【請求項７】
第１の中央貼着部が、上部貼着部から下方に延びることにより形成されている請求項２〜６のいずれかに記載のドリップバッグ。
【請求項８】
掛止部材が、一対のアーム部の袋本体の側辺側に、袋本体に貼着されている第２の中央貼着部を有する請求項３〜７のいずれかに記載のドリップバッグ。
【請求項９】
第１の中央貼着部と第２の中央貼着部とが連続している請求項８記載のドリップバッグ。
【請求項１０】
一対の斜め折線の下端から下方に延びた縦折線が、第１の中央貼着部の側辺に重なる請求項６〜９のいずれかに記載のドリップバッグ。
【請求項１１】
一対の斜め折線の下端をつなぐ横折線が形成されている請求項６〜１０のいずれかに記載のドリップバッグ。
【請求項１２】
一対のアーム部の下端から下方に折線が形成されている請求項３〜１１のいずれかに記載のドリップバッグ。
【請求項１３】
上部貼着部の上端辺が、一対の斜め折線で略３等分される請求項１〜１２のいずれかに記載のドリップバッグ。
【請求項１４】
斜め折線の上端の、上部貼着部の上端辺上における位置が、袋本体の側辺から中央部側へ、袋本体の幅の３／８の位置にあり、上部貼着部と袋本体の側辺との距離が袋本体の幅の１／８である請求項１〜１３のいずれかに記載のドリップバッグ。
【請求項１５】
上部貼着部が、帯状である請求項１〜１４のいずれかに記載のドリップバッグ。
【請求項１６】
袋本体に抽出材料が充填され、袋本体の上端部が閉じられている請求項１〜１５のいずれかに記載のドリップバッグ。
【発明の詳細な説明】
【技術分野】
【０００１】
本発明は、カップ等の容器の上部に掛止することにより、容易にドリップ式でコーヒー、紅茶、緑茶、漢方薬等の抽出液を得られるようにするドリップバッグに関する。
【背景技術】
【０００２】
従来、手軽に本格的なコーヒーを楽しむことを可能とするコーヒーの入れ方として、ペーパードリップ方式が広く普及している。このペーパードリップ方式では、通常、数杯分のコーヒーが一度に抽出される。【０００３】
一方、近年、一人暮らしをする者が多くなり、また、核家族化や出生率の低下等により一家族の構成人数も少なくなっている。そのため、従来の数杯分のコーヒーを抽出することが基本とされているペーパードリップ方式に代えて、一杯分のコーヒーの抽出を手軽に行えるようにすることを目的とした、使い捨てのドリップバッグが種々の製品形態で市場に出回っている。【０００４】
中でも、簡略な構成で低コストに製造できるものとして、通水性濾過性シートからなる袋本体と、袋本体の対向する２面の外表面に貼着された板紙からなる掛止部材で形成されたドリップバッグであって、掛止部材を特定形状にしたものがある（特許文献１）。【０００５】
図２２に示すように、このドリップバッグ１Ｘによれば、袋本体２から掛止部材１０Ｘの掛止部１１Ｘを引き起こし、掛止部１１Ｘをカップ２００に掛止することにより、袋本体２の開口部３が開いた状態で容易にドリップバッグ１Ｘをカップ２００にセットすることができる。
【先行技術文献】
【特許文献】
【０００６】
【特許文献１】特許４０７９０４１号公報
【発明の概要】
【発明が解決しようとする課題】
【０００７】
上述したドリップバッグ１Ｘは、一般的な開口径のカップで使用すると、図２２に示すように、袋本体２の開口部３が矩形に大きく開き、袋本体２内への注湯が容易となる。しかしながら、開口部３への注湯等をより容易にする点からは、開口部３の開口面積をさらに大きくすることが望ましく、さらにその大きな開口面積を、カップの開口径の大小によらず、維持できるようにすることが好ましい。同一の袋本体を使用して開口部の開口面積を最大限に大きくするには、開口部３を真円に開かせることが考えられる。しかしながら、袋本体２を形成する通水性濾過性シートと掛止部材１０Ｘを形成する薄板状材料との剛性の差、及び袋本体２の対向する２面に貼着された一対の掛止部材を互いに反対方向に引っ張るだけで袋本体２の開口部３を開かせるという開口操作に求められる簡便性を満足させる点から、開口部３を真円に開かせることは困難である。【０００８】
これに対し、本発明は、袋本体の対向する２面の外表面に掛止部材を貼着した簡略な構成のドリップバッグについて、ドリップバッグをカップにセットしたときの袋本体の開口部の開口面積を広げ、かつ、袋本体の広く開いた開口形状を、カップの開口径の大小によらず安定化させることを目的とする。
【課題を解決するための手段】
【０００９】
本発明者は、袋本体の対向する２面の外表面に貼着する掛止部材を特定形状にすると共に特定の折線を設けると、袋本体の開口部が略８角形に開き、かつその開口形状が、カップの開口径の大小によらず維持されやすいことを見出し、本発明を完成した。【００１０】
即ち、本発明は、通水性濾過性シートから形成され、上端部が開口する袋本体と、
袋本体の対向する２面の外表面に設けられた薄板状材料からなる掛止部材とを有するドリップバッグであって、
掛止部材が、袋本体の開口部に沿って袋本体に貼着されている上部貼着部、
袋本体の幅方向の中央部において上部貼着部の下方で袋本体から引き起こし不能に形成された中央部、及び
袋本体に貼着されていない掛止部を有し、
上部貼着部に該上部貼着部の下部から上部へ袋本体の幅方向を二分する中心線から離れる方向に延び、該中心線を挟む一対の斜め折線が形成されており、該斜め折線の下端の直下から下方へ縦折線が形成されているドリップバッグ
を提供する。
【発明の効果】
【００１１】
本発明のドリップバッグによれば、袋本体の外表面で対向する一対の掛止部を反対方向に引っ張り、カップに掛止させると、袋本体の開口部に沿った上部貼着部において、一対の斜め折線で挟まれた領域が傾くことにより上部貼着部の上端辺が３辺に屈曲するので、袋本体の開口部が略８角形に開く。このため、袋本体の開口部が矩形に開く従前のドリップバッグに比して、開口部の開口面積を大きくすることができる。【００１２】
さらに、このドリップバッグを開口径の小さいカップにセットすることにより、袋本体の対向面の掛止部が互いに小さい力で反対方向に引っ張られる場合でも、袋本体の開口部に沿った上部貼着部の上端辺は３辺に屈曲するので、開口形状が扁平に狭まることを防止できる。また、ドリップバッグを開口径の大きいカップにセットすることにより、袋本体の対向面の掛止部が互いに大きな力で反対方向に引っ張られる場合でも、一対の斜め折線で挟まれた領域により、上部貼着部の上端辺の３辺の屈曲が維持されるので、開口部は略８角形に開き、広い開口面積を確保することができる。
【図面の簡単な説明】
【００１３】
【図１Ａ】図１Ａは、開封前の実施例のドリップバッグ１Ａの平面図である。
【図１Ｂ】図１Ｂは、ドリップバッグ１Ａの部分拡大図である。
【図１Ｃ】図１Ｃは、ドリップバッグ１Ａの変形態様の部分拡大図である。
【図２】図２は、開封後の実施例のドリップバッグ１Ａの斜視図である。
【図３Ａ】図３Ａは、カップにセットした実施例のドリップバッグ１Ａの斜視図である。
【図３Ｂ】図３Ｂは、カップにセットした実施例のドリップバッグ１Ａの上面図である。
【図４Ａ】図４Ａは、開口径が小さいカップにセットした実施例のドリップバッグ１Ａの上面図である。
【図４Ｂ】図４Ｂは、開口径が大きいカップにセットした実施例のドリップバッグ１Ａの上面図である。
【図５】図５は、実施例のドリップバッグの製造に使用するドリップバッグ用シートの平面図である。
【図６】図６は、開封前の実施例のドリップバッグ１Ａ2の平面図である。
【図７】図７は、開封前の実施例のドリップバッグ１Ａ3の平面図である。
【図８】図８は、開封前の実施例のドリップバッグ１Ａ4の平面図である。
【図９】図９は、開封前の実施例のドリップバッグ１Ｂの平面図である。
【図１０】図１０は、開封後の実施例のドリップバッグ１Ｂの斜視図である。
【図１１】図１１は、カップにセットした実施例のドリップバッグ１Ｂの斜視図である。
【図１２】図１２は、開封前の実施例のドリップバッグ１Ｂ2の平面図である。
【図１３】図１３は、開封前の実施例のドリップバッグ１Ｃの平面図である。
【図１４】図１４は、開封後の実施例のドリップバッグ１Ｃの斜視図である。
【図１５】図１５は、開封前の実施例のドリップバッグ１Ｄの平面図である。
【図１６】図１６は、開封後の実施例のドリップバッグ１Ｄの斜視図である。
【図１７】図１７は、開封前の実施例のドリップバッグ１Ｄ2の平面図である。
【図１８】図１８は、開封前の実施例のドリップバッグ１Ｅの平面図である。
【図１９】図１９は、カップにセットした実施例のドリップバッグ１Ｅの斜視図である。
【図２０】図２０は、開封前の実施例のドリップバッグ１Ｆの平面図である。
【図２１】図２１は、カップにセットした実施例のドリップバッグ１Ｆの斜視図である。
【図２２】図２２は、カップにセットした従来のドリップバッグの斜視図である。
【発明を実施するための形態】
【００１４】
以下、本発明のドリップバッグを、図面を参照しつつ詳細に説明する。なお、各図中、同一符号は同一又は同等の構成要素を表している。
【００１５】
図１Ａは、本発明の一実施例の開封前のドリップバッグ１Ａの平面図である。このドリップバッグ１Ａは、対向する２面を有する袋本体２と、袋本体２の対向する２面の外表面に設けられた掛止部材１０を有する。
【００１６】
袋本体２は、通水性濾過性シートから平面視矩形の縦長の平袋状に形成され、上端部に開口部３が形成されるように、ミシン目等の開封誘導線４が形成されている。袋本体２には、コーヒー、紅茶、緑茶、漢方薬等の抽出材料が充填されている。
【００１７】
図２は、このドリップバッグ１Ａの上端部を開封誘導線４で除去することにより開封した後、袋本体２から掛止部材１０の掛止部１１を引き起こし始めた状態の斜視図である。
【００１８】
ドリップバッグ１Ａの掛止部材１０は、板紙、プラスチックシート等の薄板状材料の打ち抜きにより形成され、袋本体２に貼着されている。図１Ａにおいて、細かいドットで塗り潰した部分は、該塗りつぶし領域の掛止部材１０の一部又は全部が袋本体２の外表面に熱融着又は接着により貼着されていることにより、袋本体２の表面から引き起こし不能に形成されている部分である。
【００１９】
本発明のドリップバッグでは、袋本体の対向する２面の各表面において、掛止部材１０が、袋本体２の開口部３に沿って袋本体２に貼着されている上部貼着部１２、袋本体２の幅方向の中央部において上部貼着部１２の下方で袋本体２から引き起こし不能に形成された中央部、及び袋本体２に貼着されていない掛止部１１を有し、特に、本実施例のドリップバッグ１Ａの掛止部材１０は、上部貼着部１２として、袋本体２の開口部３に沿って帯状に貼着されている帯状貼着部を有し、中央部として、袋本体２に貼着された第１の中央貼着部１３を有し、掛止部材１１がアーム部１４を介して第１の中央貼着部１３と連続している。より具体的には、第１の中央貼着部１３が、上部貼着部１２の中央部から下方（即ち、袋本体２の底部側）に延びることにより形成され、一対のアーム部１４が、第１の中央貼着部１３の両側で袋本体２から引き起こし可能に形成され、アーム部１４の下端部が第１の中央貼着部１３の下部と連続し、アーム部１４の上端部が掛止部１１の上部と連続している。また、掛止部材１０は一対の第２の中央貼着部１５を有する。この第２の中央貼着部１５は、一対のアーム部１４の袋本体側辺２ｐ、２ｑ側に貼着され、第１の中央貼着部１３の下部と連続している。したがって、このドリップバッグ１Ａによれば、袋本体２の中央部に、第１の中央貼着部１３の下部領域と一対の第２の中央貼着部１５とによりＵ字形の貼着領域が形成されていることになる。
【００２０】
また、上部貼着部１２の左右両端部からは、上下方向に延びた掛止部１１の外側辺に沿って補強部１６が延設され、袋本体２に貼着している。
【００２１】
このドリップバッグ１Ａは折線に顕著な特徴を有し、一対の斜め折線Ｌ1a、Ｌ1bが、少なくとも上部貼着部１２において、袋本体２の幅方向の中心線Ｚを挟んで形成されており、上部貼着部１２の下部から上部へ袋本体２の幅方向の中心線Ｚから離れる方向に延びている。好ましくは、第１の中央貼着部１３の上部中央から上部貼着部１２の上端辺１２ａへ袋本体２の幅方向の中心線Ｚから離れる方向に延びた一対の斜め折線Ｌ1a、Ｌ1bを有している。一対の斜め折線Ｌ1a、Ｌ1bは、それらの下端が重なることにより、Ｖ字形の折線を形成し、この下端から１本の縦折線Ｌ2が第１の中央貼着部１３の下端まで延びている。なお、本発明において、縦折線Ｌ2は、Ｖ字形に形成された一対の斜め折線Ｌ1a、Ｌ1bの下端の直下にあればよく、縦折線Ｌ2と斜め折線Ｌ1a、Ｌ1bとが必ずしも連続していなくてもよい。また、縦折線Ｌ2は、下方に延びていればよく、好ましくは第１の中央貼着部１３の下部にまで延ばす。
【００２２】
また、一対の斜め折線Ｌ1a、Ｌ1bにより、上部貼着部１２の上端辺１２ａが略３等分されている。上部貼着部１２には、Ｖ字形に形成された一対の斜め折線Ｌ1a、Ｌ1b以外に、折線は形成されていない。
【００２３】
また、このドリップバッグ１Ａでは、一対の掛止部１１を反対方向に引っ張っただけで一対の斜め折線Ｌ1a、Ｌ1bと縦折線Ｌ2が折れ曲がるように、これらの折線を折れ曲がりやすく形成する。例えば、折線をミシン目から形成する場合に、ミシン目のカットの長さに対してタイ（カットされていない部分）をできるだけ短く、タイの個数をできるだけ少なくすることが好ましい。
【００２４】
後述するように、ドリップバッグ１Ａの一対の掛止部材１０の掛止部１１を互いに反対方向に引っ張るだけで、一対の斜め折線Ｌ1a、Ｌ1bと上部貼着部１２の上端辺１２ａで囲まれた三角領域の上端辺が袋本体２の開口部３の中心側に近づくように、該三角領域が容易に傾くようにするため、図１Ｂに示すように、一対の斜め折線Ｌ1a、Ｌ1bと縦折線Ｌ2の交点Ｐ１とその近傍、ならびに斜め折線Ｌ1a、Ｌ1bの上端Ｐ２をタイとし、それ以外の折線をカットのみで形成することができる。
【００２５】
また、図１Ｃに示すように、一対の斜め折線Ｌ1a、Ｌ1bと縦折線Ｌ2の交点Ｐ１とその近傍はカットとするが、そのすぐ外側にタイを設け、斜め折線Ｌ1a、Ｌ1bの上端Ｐ２もタイとし、それ以外の折線をカットとしてもよい。
【００２６】
袋本体２を形成する通水性濾過性シートに掛止部材１０を貼着する作業性も踏まえると、一対の斜め折線Ｌ1a、Ｌ1bではタイを２カ所以下とし、縦折線Ｌ2ではタイを３カ所以下とすることが好ましい。
なお、斜め折線Ｌ1a、Ｌ1bや縦折線Ｌ2を、容易に折れ曲がるように筋押し、ハーフカットなどで形成してもよい。
【００２７】
一方、袋本体２を形成する通水性濾過性シート２０としては、所定量の抽出材料を充填し、注湯した場合に、抽出材料の浸出が可能であるものを種々使用することができる。一般に、浸出用シートとしては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙、ティーバッグ原紙等の紙類が知られており、本発明においてもこれらを使用することができる。
【００２８】
環境への負荷を低減する点から、通水性濾過性シート２０を形成する繊維や掛止部材１０を形成する薄板状材料として無漂白のものを用いてもよい。また、ドリップバッグの使用後の廃棄性の点から、通水性濾過性シート材料や薄板状材料には生分解性繊維を含有させることが好ましい。生分解性繊維としては、ポリ乳酸、ポリブチレンサクシネート、ポリエチレンサクシネート等をあげることができる。
【００２９】
また、コーヒー粉などを抽出材料とする場合には、ドリップ時に抽出材料に適度な蒸らし効果を付与できることが好ましい。そこで、繊維材料から通水性濾過性シートを製造するに際しては、繊維層の空隙率を調整することにより、抽出材料に直接接することとなる層を「疎」とし、直接には接しない層を「密」とする疎密の複層構造とし、かつ抽出材料に直接接することとなる層では疎水性繊維の含有率を高め、抽出材料に直接接しない層では疎水性繊維の含有率を下げることが好ましい（特許第3674486号）。
【００３０】
このドリップバッグ１Ａの使用方法としては、まず、ミシン目等の開封誘導線４に沿って袋本体２の上端部を切除することにより袋本体２を開口し、図２に示すように、袋本体２の表裏一対の掛止部材１０の掛止部１１を互いに反対方向に引っ張ることにより、アーム部１４と掛止部１１を引き起こし、さらに大きく掛止部１１を引っ張って図３Ａに示すようにカップ２００に掛止部１１を掛止する。
【００３１】
この場合、掛止部１１が引っ張られることにより、掛止部１１と連続する第１の中央貼着部１３も引っ張られ、袋本体２の対向する面が反対方向に引っ張られることにより縦折線Ｌ2が自ずと折れ曲がり、また、Ｖ字形に形成されている一対の斜め折線Ｌ1a、Ｌ1bの下端も引っ張られるので、一対の斜め折線Ｌ1a、Ｌ1bと上部貼着部１２の上端辺１２ａで囲まれた三角領域の上端辺が袋本体２の開口部３の中心側に近づくように、該三角領域が傾く。そのため、上部貼着部１２の上端辺１２ａが３辺に屈曲する。こうして、このドリップバッグ１Ａによれば、一対の掛止部材１０の掛止部１１を互いに反対方向に引っ張るだけで袋本体２の開口部３が図３Ｂに示すように、略８角形に開く。
【００３２】
袋本体２の開口部３が略８角形に開くことにより、開口部３の開口面積は、開口部が矩形に開いていた従前のドリップバッグの開口面積よりも広くなり、袋本体２への注湯等が容易となる。特に、図１Ａに示すように、袋本体２の幅をａ、袋本体２の左右の側辺のそれぞれから掛止部材１０までの距離をａ1、ａ5、上部貼着部１２の上端辺１２ａの左右それぞれの端部から斜め折線Ｌ1a、Ｌ1bの上端までの距離をａ2、ａ4、斜め折線Ｌ1a、Ｌ1bの上端の間隔をａ3とした場合に、
ａ2＝ａ3＝ａ4＝ａ1＋ａ5
ａ1＝ａ5
であるとき、即ち、斜め折線Ｌ1a、Ｌ1bの上端の、上部貼着部１２の上端辺１２a上における位置が、袋本体２の側辺から中央部側へ、袋本体２の幅ａの３／８の位置にあり、上部貼着部１２と袋本体２の側辺との距離が幅ａの１／８であるとき、ドリップバッグは正８角形に開口することができる。この正８角形の面積Ｓは、
Ｓ8＝（ａ２×tan６７．５）／８
である。
一方、同じ幅ａの袋本体を有する従来のドリップバッグが正方形に開口するとした場合、正方形の面積Ｓ4は、
Ｓ4＝ａ２／４、
である。
したがって、正８角形の面積Ｓ8と正方形の面積Ｓ4との比Ｓ8／Ｓ4は、
Ｓ8／Ｓ4＝１．２０６
となり、約２１％広くなる。
【００３３】
また、図４Ａに示すように、このドリップバッグ１Ａを開口径の小さいカップ２００ａにセットした場合でも、開口部３に沿った上部貼着部１２の上端辺１２ａが３辺に屈曲することにより、袋本体２の開口部３は、開口部が矩形に開く従前のドリップバッグの開口部よりも広く開口する。
【００３４】
さらに、図４Ｂに示すように、このドリップバッグ１Ａを開口径の大きいカップ２００ｂにセットし、アーム部１４で第１の中央貼着部１３が強く引っ張られた場合でも、開口部３に沿った上部貼着部１２が２つ折りにならずに３辺に屈曲することにより、袋本体２の開口部３の開口形状は略８角形となる。したがって、このドリップバッグ１Ａによれば、カップの開口径の大小によらず、開口部３の開口形状を安定して大きくすることができるので、使いやすさが向上する。さらに、このドリップバッグ１Ａによれば、第１の中央貼着部１３、第２の中央貼着部１５及び補強部１６が袋本体２の上下方向に延びていることにより、開口部３が開口すると袋本体２は底面から周面が略鉛直に起立した８角柱状となる。したがって、開口部３への注湯がより一層容易になる。
【００３５】
本発明のドリップバッグの製造方法としては、例えば、図５に示すように、一対の掛止部材１０の底部側同士を、間隔をあけて対向させたものを長尺帯状の通水性濾過性シート２０に所定間隔で複数配置したドリップバッグ用シート２１を用意し、そのシート２１を長手方向の縁辺同士が重なり合うように２つ折りにし、袋本体２の幅の間隔で短手方向に溶着溶断を繰り返し、その間にコーヒー粉等の抽出材料を一袋分ずつ充填していくことにより得ることができる。この場合の溶着溶断部が袋本体２の両側辺２ｐ、２ｑ（図１Ａ）となる。また、この短手方向の溶着溶断に先立って、通水性濾過性シート２０には、予め、開封用の易開封線としてミシン目等の開封誘導線４を施しておく。なお、開封誘導線４としては、ミシン目に代えて、超音波や熱などでライン状の脆弱部を設けてもよい。
【００３６】
本発明のドリップバッグは、種々の態様をとることができる。例えば、図６に示すドリップバッグ１Ａ2のように、上述のドリップバッグ１Ａにおいて、第２の中央貼着部１５を省略してもよい。このドリップバッグ１Ａ2も上述のドリップバッグ１Ａと同様に開口形状が略８角形となる。なお、ドリップバッグ１Ａ2では、第２の中央貼着部１５が省略されていることにより、開口部３が開口しているときの袋本体２の形状が、上述のドリップバッグ１Ａよりも底すぼまりの形状となる。
【００３７】
また、本発明においては、図７に示すドリップバッグ１Ａ3のように、上述のドリップバッグ１Ａにおいて、上部貼着部１２と第１の中央貼着部１３とを連続させなくてもよい。
【００３８】
図８に示すドリップバッグ１Ａ4のように、上述のドリップバッグ１Ａにおいて、アーム部１４の下端を掛止部１１に当接させてもよい。
【００３９】
図９に示すドリップバッグ１Ｂのように、一対の斜め折線Ｌ1a、Ｌ1bの下端が互いに離れ、それらの下端からそれぞれ縦折線Ｌ2を下方に延ばしてもよい。この場合にも、一対の掛止部１１を反対方向に引っ張っただけで斜め折線Ｌ1a、Ｌ1bと縦折線Ｌ2が折れ曲がるように、これらの折線をミシン目、筋押し、ハーフカット等で折れ曲がりやすく形成する。
【００４０】
図１０はこのドリップバッグ１Ｂを開封誘導線４で袋本体２の上端部を除去することにより開封した後、一対の掛止部材１０の掛止部１１を互いに反対方向に引っ張り始めた状態を示している。
【００４１】
このドリップバッグ１Ｂでは、図９に示すように、縦折線Ｌ2が、第１の中央貼着部１３の側辺に重なっている。そのため、一対の掛止部１１を互いに反対方向に引っ張ったときに、第１の中央貼着部１３がその引っ張り方向に突き出て一対の斜め折線Ｌ1a、Ｌ1bの下端もその引っ張り方向に引っ張られ、一対の斜め折線Ｌ1a、Ｌ1bと上部貼着部１２の上端辺１２ａで囲まれる台形領域が、その上端辺が袋本体２の開口部３の中心側に近づくように傾き易くなる。それにより上部貼着部１２の上端辺１２ａが３辺に屈曲しやすくなるので好ましい。
【００４２】
この場合、一対の斜め折線Ｌ1a、Ｌ1bの下端をつなぐ横折線Ｌ3を形成すると、一対の斜め折線Ｌ1a、Ｌ1bと上部貼着部１２の上端辺１２ａで囲まれる台形領域が、袋本体２の開口部３の中心側に、より容易に傾くので好ましい。
【００４３】
また、一対のアーム部１４の袋本体側辺側下端から下方に延びた下部折線Ｌ4が形成されている。これにより、一対の掛止部材１０の掛止部１１を互いに反対方向に引っ張ったときに、第１の中央貼着部１３の下部が一対の下部折線Ｌ4で折れるので、袋本体２を開口し、ドリップバッグ１Ｂをカップに掛止したときの袋本体２の形状が、一層、鉛直に起立した８角柱状になりやすい。
【００４４】
こうして、このドリップバッグ１Ｂも、図１１に示すように、カップ２００に掛止部１１を掛止することにより、袋本体２の開口部３を略８角形に大きく開口させることができ、かつその開口形状をカップの開口径の大小によらず保持することができる。
【００４５】
このように一対の斜め折線Ｌ1a、Ｌ1bの下端のそれぞれの直下に縦折線を形成する場合にも、図１２に示すドリップバッグ１Ｂ2のように、第２の中央貼着部１５を省略してもよい。
【００４６】
図１３のドリップバッグ１Ｃは、図１Ａに示したドリップバッグ１Ａにおいて、袋本体２が平面視縦長の平袋状であったのを横長の平袋状とし、それに合わせて掛止部材１０も横長に構成したものである。第１の中央貼着部１３は、該第１の中央貼着部１３とアーム部１４との接続部から上方で上部貼着部１２に向かって徐々に幅が広くなり、一対の斜め折線Ｌ1a、Ｌ1bの下端が重なったＶ字形折線の形成領域を確保している。
【００４７】
このドリップバッグ１Ｃも，一対の掛止部１１を反対方向に引っ張るだけで図１４に示したように、上部貼着部１２が３辺に屈曲して袋本体２の開口部３が開き始める。そして、カップに掛止させると、袋本体２の開口部３に広い開口面積を確保することができる。
【００４８】
図１５のドリップバッグ１Ｄは、図１３に示したドリップバッグ１Ｃにおいて、図９に示したドリップバッグ１Ｂのように、一対の斜め折線Ｌ1a、Ｌ1bの下端を互いに離し、それらの下端からそれぞれ縦折線Ｌ2を下方に延ばし、一対の斜め折線Ｌ1a、Ｌ1bをつなぐ横折線Ｌ3を形成したものである。このドリップバッグ１Ｄでは、アーム部１４の下端から下方に延びた一対の下部折線Ｌ4が、一対の縦折線Ｌ2の延長線上に形成されている。
【００４９】
このドリップバッグ１Ｄも，一対の掛止部１１を反対方向に引っ張るだけで図１６に示したように、上部貼着部１２が３辺に屈曲して袋本体２の開口部３が開き始める。そして、カップに掛止させると、袋本体２の開口部３に広い開口面積を確保することができる。
【００５０】
上述のドリップバッグにおいて上部貼着部１２を幅広く形成した場合に、例えば、図１７に示すドリップバッグ１Ｄ2のように、一対の斜め折線Ｌ1a、Ｌ1bと縦折線Ｌ2の交点Ｐ１を上部貼着部１２内に形成してもよい。
【００５１】
図１８のドリップバッグ１Ｅは、図１７のドリップバッグ１Ｄ2のように、一対の斜め折線Ｌ1a、Ｌ1bと縦折線Ｌ2の交点Ｐ１を上部貼着部１２内に形成したものである。
【００５２】
このドリップバッグ１Ｅでは、袋本体２の開口部３に沿う細かいドットで塗りつぶした帯状領域の一部又は全部が袋本体２の外表面に接着されている。この帯状領域内の上部が上部貼着部１２であり、帯状領域内の、袋本体の幅方向中央部の下部が引き起こし不能の中央部１３となっており、第１の中央貼着部として機能している。
また、このドリップバッグ１Ｅでは、補強部１６が省略されている。中央部１３の下端から、左右に水平にアーム部１４が延び、アーム部１４の左右の端部に、円弧状の掛止部１１の端部が繋がっている。
【００５３】
このドリップバッグ１Ｅをカップに掛止するときには掛止部１１を互いに反対方向に引っ張り、アーム部１４を引き起こし、図１９に示すように、掛止部１１をカップ２００に係止する。このとき、中央部１３が引っ張られ、一対の斜め折線Ｌ1a、Ｌ1bとそれらの下端から下方に延びた縦折線Ｌ2が屈曲し、広い開口部３を得ることができる。
【００５４】
図２０のドリップバッグ１Ｆは、図１８のドリップバッグ１Ｅの円弧状の掛止部１１を、環状の掛止部１１とし、中央部１３を直接的に袋本体２に貼着したものである。また、環状の掛止部１１の中央部１３近傍にスリット１７を設け、図２１に示すように、掛止部１１をカップ２００に掛け易くしている。なお、このドリップバッグ１Ｆにおいても、中央部１３は袋本体２に貼着しなくてもよい。
【００５５】
本発明は、さらに種々の態様をとることができる。例えば、上述のドリップバッグにおいて、斜め折線Ｌ1a、Ｌ1bは直線に限られず、緩く湾曲していてもよい。
【００５６】
少なくとも掛止部が、アーム部を介して、又は直接的に、中央部又は第１の中央貼着部と連続し、掛止部が互いに反対方向に引っ張られてカップに掛止されることにより中央部又は第１の中央貼着部が引っ張られるドリップバッグにおいて、本発明に特徴的な斜め折線と縦折線は効果を奏する。
【００５７】
なお、上述した実施例のドリップバッグの変形態様は、適宜組み合わせることができる。
【符号の説明】
【００５８】
１Ａ、１Ａ2、１Ａ3、１Ａ4、１Ｂ、１Ｂ2、１Ｃ、１Ｄ、１Ｄ2、１Ｅ、１Ｆ、１Ｘ  ドリップバッグ
２    袋本体
２ｐ、２ｑ    側辺
３    開口部
４    開封誘導線
１０、１０Ｘ  掛止部材
１１、１１Ｘ    掛止部
１２    上部貼着部（帯状貼着部）
１２ａ  上部貼着部（帯状貼着部）の上端辺
１３    中央部又は第１の中央貼着部
１４    アーム部
１５    第２の中央貼着部
１６    補強部
２０    通水性濾過性シート
２１    ドリップバッグ用シート
２００、２００ａ、２００ｂ    カップ
２０１    カップの開口部壁
Ｌ1a、Ｌ1b    斜め折線
Ｌ2     縦折線
Ｌ3     横折線
Ｌ4     下部折線
Ｚ      中心線
【図１Ａ】
0005858172.tif 000002
【図１Ｂ】
0005858172.tif 000003
【図１Ｃ】
0005858172.tif 000004
【図２】
0005858172.tif 000005
【図３Ａ】
0005858172.tif 000006
【図３Ｂ】
0005858172.tif 000007
【図４Ａ】
0005858172.tif 000008
【図４Ｂ】
0005858172.tif 000009
【図５】
0005858172.tif 000010
【図６】
0005858172.tif 000011
【図７】
0005858172.tif 000012
【図８】
0005858172.tif 000013
【図９】
0005858172.tif 000014
【図１０】
0005858172.tif 000015
【図１１】
0005858172.tif 000016
【図１２】
0005858172.tif 000017
【図１３】
0005858172.tif 000018
【図１４】
0005858172.tif 000019
【図１５】
0005858172.tif 000020
【図１６】
0005858172.tif 000021
【図１７】
0005858172.tif 000022
【図１８】
0005858172.tif 000023
【図１９】
0005858172.tif 000024
【図２０】
0005858172.tif 000025
【図２１】
0005858172.tif 000026
【図２２】
0005858172.tif 000027